(57)【要約】【課題】立体スクリーンを適正形状に安定して維持することが可能な映像表示装置を提供する。【解決手段】可撓性を有する素材からなり、内周面にスクリーン面が設けられた透過型ディスプレイを構成する立体スクリーン１と、前記立体スクリーン１の内周面に向けて映像を投射する投射機２と、前記立体スクリーン１内に送風する送風機３と、前記投射機２の映像投射部２１及び前記送風機３の送風部３０が接続されるとともに、前記立体スクリーン１に取り付けられる接続板４と、前記接続板４を支持する支持脚体７とを備え、前記支持脚体７は、前記接続板４の支持姿勢を変更可能に構成されている。【選択図】図１
2020204697.tif 000002
【特許請求の範囲】
【請求項１】
可撓性を有する素材からなり、内周面にスクリーン面が設けられた透過型ディスプレイを構成する立体スクリーンと、
前記立体スクリーンの内周面に向けて映像を投射する投射機と、
前記立体スクリーン内に送風する送風機と、
前記投射機の映像投射部及び前記送風機の送風部が接続されるとともに、前記立体スクリーンに取り付けられる接続板と、
前記接続板を支持する支持脚体とを備え、
前記支持脚体は、前記接続板の支持姿勢を変更可能に構成されている映像表示装置。
【請求項２】
前記支持脚体は、前記接続板に固定された第一脚体と、前記第一脚体の上部に設けられた連結ピンを支点として回動可能に連結された第二脚体と、前記第一脚体及び前記第二脚体の側面部同士を連結する連結バーとを有し、
前記連結バーの両端部は、第一脚体及び第二脚体の側面部に沿ってスライド可能に係合されるとともに、係止部材によって第一脚体及び第二脚体の側面部に係脱可能に係止されている請求項１記載の映像表示装置。
【請求項３】
前記立体スクリーンには、前記接続板の取付孔が形成され、
前記取付孔の周縁部と前記接続板の外周部とが離脱可能に接合されている請求項１又は２記載の映像表示装置。
【請求項４】
前記取付孔の周縁部と前記接続板の外周部とが、線ファスナーからなる接合部材より離脱可能に接合されている請求項３記載の映像表示装置。
【請求項５】
前記立体スクリーン、前記投射機、前記支持脚体及び前記送風機が載置される載置台を、さらに備え、
前記載置台の下部には、搬送用のキャスタが設けられている請求項１乃至４の何れか１項に記載の映像表示装置。
【請求項６】
前記載置台には、前記搬送用キャスタが設けられたベース板と、前記ベース板に立設された展示ステージとを有し、前記立体スクリーンと前記接続板及び前記支持脚体とが、前記展示ステージ上に位置決めされた状態で載置されている請求項１乃至５の何れか１項に記載の映像表示装置。
【請求項７】
前記ベース板と前記展示ステージの上面板との間に形成された空間部内に前記送風機が収容されている請求項６記載の映像表示装置。
【請求項８】
前記投射機を保持する投射機保持台を、さらに備え、
前記投射機保持台には、前記投射機が載置される載置板と、搬送用のキャスタを有する走行台車と、前記載置板を昇降変位させる昇降機構とが設けられている請求項１乃至７の何れか１項記載の映像表示装置。
【発明の詳細な説明】
【技術分野】
【０００１】
本発明は、投射機から投射された文字や図形、写真等の映像をスクリーン面に表示する映像表示装置に関する。
【背景技術】
【０００２】
従来、透過型スクリーン素材で気密の袋状に形成された球形スクリーンの内部にヘリウムガス等からなる気体を充填密封し、前記球形スクリーンには透明な窓部を気密性が保たれるよう形成するとともに回転防止ホルダで保持し、前記窓部を透過して球形スクリーンの内面に画像を投射可能であるように窓部の外側にプロジェクタを設け、このプロジェクタからの投射画像を球形スクリーン外面に表示可能に構成した球形画像表示装置が知られている（特許文献１参照）。
【０００３】
このような映像表示装置は、移送や収納の必要に応じて折り畳みの可能な透過型スクリーン素材からなる気密の袋状に形成された球形スクリーンとし、その内部に気体を充填密封しているので、設置場所に簡易に移送して、短時間で設置することが可能である。しかし、袋状に形成された球形スクリーンの気密性を完全に保つことは困難であるため、長期間亘って使用した場合に、球形スクリーンの内部に封入された気体が外部に漏出して適正形状に維持することができなくなり、外観が著しく損なわれるという問題があった。
【先行技術文献】
【特許文献】
【０００４】
【特許文献１】特開２００６−１８４４０４号公報
【発明の概要】
【発明が解決しようとする課題】
【０００５】
本発明が解決しようとする課題は、前述の状況に鑑みてなされたものであり、立体スクリーンを適正形状に安定して維持することが可能な映像表示装置を提供することにある。
【課題を解決するための手段】
【０００６】
本発明に係る映像表示装置は、可撓性を有する素材からなり、内周面にスクリーン面が設けられた透過型ディスプレイを構成する立体スクリーンと、前記立体スクリーンの内周面に向けて映像を投射する投射機と、前記立体スクリーン内に送風する送風機と、前記投射機の映像投射部及び前記送風機の送風部が接続されるとともに、前記立体スクリーンに取り付けられる接続板と、前記接続板を支持する支持脚体とを備え、前記支持脚体は、前記接続板の支持姿勢を変更可能に構成されたものである。
【０００７】
また、前記支持脚体は、前記接続板に固定された第一脚体と、前記第一脚体の上部に設けられた連結ピンを支点として回動可能に連結された第二脚体と、前記第一脚体及び前記第二脚体の側面部同士を連結する連結バーとを有し、前記連結バーの両端部は、第一脚体及び第二脚体の側面部に沿ってスライド可能に係合されるとともに、係止部材によって第一脚体及び第二脚体の側面部に係脱可能に係止されたものとしてもよい。
【０００８】
また、前記立体スクリーンには、前記接続板の取付孔が形成され、前記取付孔の周縁部と前記接続板の外周部とが、離脱可能に接合されたものであることが好ましい。
【０００９】
また、前記取付孔の周縁部と前記接続板の外周部とが、線ファスナーからなる接合部材より離脱可能に接合されたものであることが好ましい。
【００１０】
また、前記立体スクリーン、前記投射機及び前記送風機が載置される載置台を、さらに備え、前記載置台の下部には、搬送用のキャスタが設けられたものであることが好ましい。
【００１１】
さらに、前記載置台には、前記搬送用キャスタが設けられたベース板と、前記ベース板に立設された展示ステージとを有し、前記立体スクリーンと前記接続板及び前記支持脚体とが、前記展示ステージ上に位置決めされた状態で載置されたものであることが好ましい。
【００１２】
また、前記ベース板と前記展示ステージの上面板との間に形成された空間部内に前記送風機が収容されたものであってもよい。
【００１３】
また、前記投射機を保持する投射機保持台を、さらに備え、前記投射機保持台には、前記投射機が載置される載置板と、搬送用のキャスタを有する走行台車と、前記載置板を昇降変位させる昇降機構とが設けられたものであってもよい。
【発明の効果】
【００１４】
上述のように構成された映像表示装置によれば、必要に応じて送風機を作動させて接続板の送風孔から立体スクリーン内に空気を送風して、立体スクリーンの内部圧力を高めることにより、立体スクリーンを適正形状に安定して維持することができる。また、立体スクリーンに取り付けられた接続板を支持脚体により支持するとともに、この支持脚体による接続板の支持姿勢を変更可能に構成したため、立体スクリーンを正確に位置決めした状態で安定して支持することができる。したがって、投射機の映像投射部から照射される画像の焦点が立体スクリーンのスクリーン面からずれた状態となるのを効果的に防止することができる。しかも、立体スクリーンの直径等が変化して接続板の設置角度を変化させる必要が生じた場合には、支持脚体による接続板の支持姿勢を変更することにより、立体スクリーン及び接続板を安定して支持することができる。
【００１５】
また、上述のように第一脚体と第二脚体と連結バーとを有する上述の支持脚体によれば、ユーザーが、係止部材による連結バーの係止状態を解除した後、連結バーの端部を溝部に沿ってスライド変位させることにより、第一脚体と第二脚体との間隔を調節することができる。このため、立体スクリーンの直径が変化して接続板の設置角度を変化させる必要が生じた場合等に、第一脚体及び第二脚体の下端部が展示ステージから離間した状態となることを防止して、支持脚体による接続板の支持状態を安定させることができる。
【００１６】
さらに、立体スクリーンに形成された取付孔接続板が離脱可能に接合された構成によれば、立体スクリーンの取付孔から接続板を取り外すことにより、この接続板と、投射機の映像投射部及び送風機の送風部との接続を維持したままの状態で、傷んだ立体スクリーンを新たなものと交換したり、立体スクリーンを径の異なるものと交換したりする作業等を容易に行うことができる。
【００１７】
また、前記取付孔の周縁部と前記接続板の外周部とが、線ファスナーからなる接合部材より離脱可能に接合された構成によれば、ユーザーが、線ファスナーのスライダーを操作することにより、取付孔の周縁部と接続板の外周部とを接合する作業、及び両者の接合を離脱させる作業を容易に行うことができる。しかも、線ファスナーにより取付孔の周縁部と接続板の外周部とを接合した状態では、この接合部から立体スクリーンの気体が外部に漏出することが効果的に抑制され、立体スクリーンを適正形状に安定して維持することが可能である。
【００１８】
さらにまた、立体スクリーン、投射機及び前記送風機が載置される載置台を備え、前記載置台の下部に搬送用のキャスタが設けられた構成によれば、立体スクリーン、投射機及び送風機をそれぞれ載置台上に載置して位置決めした状態で、映像表示装置をイベント会場に搬送したり、映像表示装置の設置位置を変更したりする作業を容易に行うことができる。
【００１９】
さらに、載置台のベース板に立設された展示ステージ上に、立体スクリーンと接続板及び前記支持脚体とが位置決めされた状態で載置された構成によれば、載置台のベース板よりも一段高い位置に立体スクリーン等が載置されるため、この立体スクリーンに投射された映像を、より目立たせることができる。
【００２０】
さらにまた、載置台のベース板と展示ステージの上面板との間に形成された空間部内に送風機が収容された構成とした場合には、載置台に形成された空間部を有効に利用して、省スペース化を図ることができるとともに、送風機の作動時に発生する騒音が外部に漏れ出ることが抑制されるため、優れた防音効果が得られるという利点がある。
【００２１】
また、前記投射機を保持する投射機保持台を備え、前記投射機保持台には、前記投射機が載置される載置板と、搬送用のキャスタを有する走行台車と、前記載置板を昇降変位させる昇降機構とが設けられた構成によれば、ユーザーが、昇降機構を操作して載置板の設置高さを調節することにより、映像投射部と映像投射孔との上下位置を調節することができる。また、ユーザーが、走行台車を移動させることにより、立体スクリーンと投射機との設置間隔等を調節する作業を容易かつ適正に行うことができる
等の利点がある。
【図面の簡単な説明】
【００２２】
【図１】本発明に係る映像表示装置の実施形態を示す側面図である。
【図２】映像表示装置の設置状態を示す平面図である。
【図３】立体スクリーンの具体的構成を示す正面図である。
【図４】接続板を構成する被覆材の具体的構成を示す正面図である。
【図５】接続板の具体的構成を示す正面図である。
【図６】接続板を構成する第二プレートの具体的構成を示す正面図である。
【図７】投射機の具体的構成を示す側面図である。
【図８】送風機の具体的構成を示す側面図である。
【図９】支持脚体の具体的構成を示す側面図である。
【図１０】送風機の設置位置の変形例を示す側面断面図である。
【発明を実施するための形態】
【００２３】
以下、本発明の実施形態を添付図面に基づき詳細に説明する。本発明は、添付図面に示された形態に限定されず特許請求の範囲に記載の要件を満たす実施形態の全てを含むものである。
【００２４】
本発明に係る映像表示装置は、図１及び図２に示すように、可撓性を有する素材からなり、内周面にスクリーン面が設けられた透過型ディスプレイを構成する立体スクリーン１と、この立体スクリーン１の内周面に向けて映像を投射する投射機２と、立体スクリーン１内に送風する送風機３と、投射機２の映像投射部２１及び送風機３の送風部３０が接続される接続板４と、立体スクリーン１、投射機２及び送風機３が載置される載置台５とを備えている。
【００２５】
立体スクリーン１は、透光性と可撓性とを有するアクリル樹脂シートまたはアクリル繊維製織布、又はポリエステル繊維の織物を軟質な合成樹脂フィルムでサンドしたビニール系素材（ターポリン）等からなり、その内周面には、反射抑制材料のフッ化マグネシウムがコーティングされる等によりスクリーン面が設けられている。立体スクリーン１を製造するには、例えば球殻状体を構成する複数の分割片を上述の素材により形成した後、各分割片の周縁部を重ね合わせ、あるいは突き合わせた状態で熱融着、又は縫合する。このようにして、２ｍ程度の直径を有する球状の立体スクリーン１が形成される。なお、この立体スクリーン１の形状は、正六面体、正十二面体、正二十面体、半球状、又は所謂ラグビーボール形等の種々の形状に形成することが可能である。
【００２６】
立体スクリーン１の背面部、つまり投射機２の設部側に位置する周面部には、図３に示すように、９２５ｍｍ程度の直径を有する円形の取付孔１１が形成されている。また、立体スクリーン１に形成された取付孔１１の周縁部と、接続板４の外周部とが、接合部材６、具体的には務歯（むし）またはエレメントと呼ばれる歯が一側辺部に設けられた一対のファスナーテープ６１，６２と、務歯を係脱する図外のスライダーとを有する線ファスナーにより離脱可能に接合されている。
【００２７】
すなわち、一方のファスナーテープ６１が取付孔１１の周縁部に逢着又は接着される等により固定されている。また、接続板４は、図４及び図５に示すように、外周部に他方のファスナーテープ６２が逢着又は接着される等により固定された被覆材４０を有している。そして、取付孔１１側のファスナーテープ６１と、接続板４側のファスナーテープ６２とを互いに突き合わせた状態で、ユーザーがスライダーを操作して、両ファスナーテープ６１，６２の始端部から終端部側にスライド変位させることにより、取付孔１１の周縁部と接続板４の外周部とが互いに接合される。また、ユーザーがスライダーを操作して、両ファスナーテープ６１，６２の終端部から始端部側にスライド変位させることにより、立体スクリーン１と接続板４が分離されるようになっている。
【００２８】
立体スクリーン１の側面部には、図３に示すように、所定長さのスリット１２が形成されるとともに、このスリット１２を開閉可能に止着する止着部材１３が設けられている。止着部材１３は、上述の接合部材６と同様に一対のファスナーテープとスライダーとを有する線ファスナーからなっている。そして、立体スクリーン１の使用時には、ユーザーが止着部材１３のスライダーを操作して、スリット１２を閉止状態とすることにより、立体スクリーン１の気密性をある程度、保持することができる。一方、立体スクリーン１の不使用時には、ユーザーが止着部材１３のスライダーを操作してスリット１２を開放状態とすることにより、立体スクリーン１内の気体を容易かつ迅速に外部に排出することができる。また、スリット１２を利用することにより、立体スクリーン１を容易に扁平化して、コンパクトに折り畳むことが可能である。
【００２９】
接続板４は、図５に示すように、８２５ｍｍ程度の直径を有するステンレス鋼板等からなる円盤状の第一プレート４１と、この第一プレート４１と略同一の外径を有するステンレス鋼板等からなるドーナツ盤状の第二プレート４２（図６参照）と、布製又はプラスチック製のシート材からなる上述の被覆材４０（図４参照）とを有している。そして、第一プレート４１が載置台５上の投射機２側に配設されるとともに、第二プレート４２が載置台５上の立体スクリーン１側に配設される。また、両プレート４１，４２により被覆材４０の内周部が挟持された状態で、両プレート４１，４２が一体にビス止めされる等により、接続板４が構成される。
【００３０】
第一プレート４１の上部には、所謂トンネル形状の開口部からなる映像投射孔４３が形成され、かつ第一プレート４１の下部には、円形の送風孔４４が形成されている。この送風孔４４の左右両側方部には、それぞれ上下方向に延びる一対のアングル材４５が溶接又はビス止め等の手段で固定されている。また、各アングル材４５には、接続板４を支持する後述の支持脚体７がそれぞれ取り付けられている。
【００３１】
投射機２は、図７に示すように、半導体レーザー光源モジュール等を備えた投射機本体２０と、その前面に突設された筒状の映像投射部２１とを有している。そして、投射機２が投射機保持台８に保持されるとともに、この投射機保持台８が載置台５上に載置されることにより、投射機２の映像投射部２１が、接続板４の映像投射孔４３に臨むように設置される。
【００３２】
接続板４の映像投射孔４３と、投射機２の映像投射部２１との間には、布製又はプラスチック製のシート材等からなる円錐台形状の被覆材１７が設けられている。この被覆材１７の前端部が、接続板４の映像投射孔４３を囲繞するように設置されて、図外の面ファスナー等により接続板４に止着されている。また、被覆材１７の後端部には、投射機２の映像投射部２１が挿入されるとともに、この映像投射部２１の外周面に被覆材１７の後端部が、図外の紐材等により止着されている。このようにして接続板４の映像投射孔４３と、投射機２の映像投射部２１との間が被覆材１７で覆われることにより、立体スクリーン１内の気体が、接続板４の映像投射孔４３から外部に漏出することが抑制され、立体スクリーン１の気密性が保持されるようになっている。
【００３３】
投射機保持台８は、下面に搬送用のキャスタ８０が設けられるとともに、後部に操作ハンドル８１が立設された走行台車８２と、投射機２が位置決めされた状態で載置される載置板８３と、この載置板８３を昇降変位させるＸリンク式の昇降機構８４とを有している。ユーザーが昇降機構８４を操作して、載置板８３の設置高さを調節することにより、映像投射孔４３の位置に応じて映像投射部２１の設置高さが調節される。また、ユーザーが操作ハンドル８１を持って走行台車８２を移動させることにより、立体スクリーン１と投射機２との設置間隔等が調節される。
【００３４】
送風機３は、図８に示すように、送風ボックス３１内に配設された送風機本体３２と、その送風口に接続された蛇腹状の送風ダクト３３とを有している。そして、送風機３が載置台５上に載置されるとともに、その送風部３０、具体的には送風ダクト３３の先端部が、接続板４の送風孔４４に臨むように設置される。
【００３５】
接続板４の送風孔４４と、送風機３の送風ダクト３３との間には、プラスチック製又は布製のシート材等からなる円筒状の被覆材１８が設けられている。そして、この被覆材１８の前端部が、接続板４の送風孔４４を囲繞するように設置されて、図外の面ファスナー等により接続板４に止着されている。また、被覆材１８には、送風機３の送風ダクト３３が挿入されるとともに、この送風ダクト３３の外周面に被覆材１８の後端部が、図外の紐材等により止着されている。このようにして、接続板４の送風孔４４と、送風機３の送風ダクト３３との間が被覆材１８で覆われることにより、立体スクリーン１内の気体が、送風孔４４から外部に漏出することが抑制され、立体スクリーン１の気密性が保持されるようになっている。
【００３６】
上述の載置台５は、図１に示すように、下面に搬送用のキャスタ５０が設けられたベース板５１と、このベース板５１に立設された展示ステージ５２とを有している。そして、立体スクリーン１と、接続板４及び支持脚体７とが、展示ステージ５２上に位置決めされた状態で載置され、かつ展示ステージ５２の後方側には、投射機保持台８と送風機３とがそれぞれ載置されるように構成されている。
【００３７】
接続板４を支持する支持脚体７は、図９に示すように、固定ボルト等により接続板４のアングル材４５に固定されたＣ形鋼等からなる第一脚体７１と、この第一脚体７１の上部に設けられた連結ピン７０を支点として回動可能に連結されたＣ形鋼等からなる第二脚体７２と、第一脚体７１及び第二脚体７２の側面部同士を連結する連結バー７３とを有している。第一脚体７１及び第二脚体７２が、載置台５の展示ステージ５２上に載置されることにより、立体スクリーン１の背面部に取り付けられた接続板４の左右両側辺部が一対の支持脚体７を介して支持されている。
【００３８】
連結バー７３の両端部は、第一脚体７１及び第二脚体７２の側面部に形成された溝部７４に沿ってスライド可能に係合されるとともに、蝶ナット又はクランプハンドル等を有する係止部材７５によって第一脚体７１及び第二脚体７２の側面部に係脱可能に係止されている。そして、立体スクリーン１を直径が変化する等により、接続板４の設置角度を変化させる必要が生じた場合等には、ユーザーが、係止部材７５による連結バー７３の係止状態を解除した後、連結バー７３の一端部又は両端部を溝部７４に沿って上下にスライド変位させることにより、立体スクリーン１の直径の変化に応じて第一脚体７１と第二脚体７２との間隔を調節して、支持脚体７による接続板４の支持姿勢を変更し得るように構成されている。
【００３９】
すなわち、立体スクリーン１の直径が変化した場合、又は立体スクリーン１の形状が変化した場合には、これに対応させて接続板４の設置角度を変化させる必要がある。この場合に、第一脚体７１と第二脚体７２とが常に一定間隔に保持されていると、第一脚体７１及び第二脚体７２の一方の下端部が展示ステージ５２から離間した状態となり、支持脚体７による接続板４の支持状態が不安定になることが避けられない。これに対して、上述のように第一脚体７１と第二脚体７２との間隔を調節することにより、支持脚体７による接続板４の支持姿勢を変更可能に構成した場合には、第一脚体７１及び第二脚体７２の下端部が展示ステージ５２から離間した状態となるのを防止して、支持脚体７による接続板４の支持状態を安定させることが可能である。
【００４０】
なお、第一脚体７１と第二脚体７２との間隔を調節し得るようにした上述の構成に代え、第一脚体７１及び第二脚体７２の少なくとも一方を伸縮可能とし、第一脚体７１又は第二脚体７２の上下寸法を変化させることにより、支持脚体７による接続板４の支持姿勢を変更可能に構成した場合においても、第一脚体７１及び第二脚体７２の下端部を展示ステージ５２にそれぞれ常に当接させることが可能である。しかし、この構成では、支持脚体７の構造が複雑になるとともに、軽い衝撃で第一脚体７１又は第二脚体７２の上下寸法が変化し易いという問題がある。したがって、上述のように第一脚体７１と第二脚体７２との間隔を調節可能に構成することが望ましい。
【００４１】
上述の構成を有する映像表示装置を使用する際には、まず図７に示すように、投射機２の映像投射部２１を映像投射孔４３に臨ませるとともに、この接続部を被覆材１７で被覆することにより、映像投射部２１を接続板４に接続する。また、図８に示すように、送風機３の送風部３０を送風孔４４に望ませるとともに、この接続部を被覆材１８で被覆することにより、送風部３０を接続板４に接続する。
【００４２】
次いで、立体スクリーン１に形成された取付孔１１の周縁部と接続板４の外周部とを、線ファスナーからなる接合部材６より一体に接合した後、イベント会場等に設置された載置台５の展示ステージ５２上に、立体スクリーン１、接続板４及び支持脚体７を位置決めした状態でそれぞれ載置する。また、展示ステージ５２の後方側に位置するベース板５１上に投射機保持台８と送風機をそれぞれ載置する。
【００４３】
そして、送風機３を作動させて接続板４の送風孔４４から立体スクリーン１内に空気を送風することにより、立体スクリーン１の内部圧力を外気より高くして、立体スクリーン１を球形等に膨らませる。また、投射機２の焦点を、立体スクリーン１の内周面に設けられたスクリーン面に合わせるように投射機２を位置決めした状態で、図１及び図２に示すように、投射機２の映像投射部２１から、立体スクリーン１のスクリーン面に向けて、文字や図形、写真等からなる映像を投射する。このようにして立体スクリーン１の所定範囲（例えば図１及び図２のハッチングで示す範囲）Ｅに映像が写し出され、この映像が、イベント会場の聴衆Ｔにより視認されることになる。
【００４４】
なお、送風機３は常時作動させるようにしてもよいが、立体スクリーン１の内部圧力が低下したことが確認された時点で、ユーザーが送風機３を作動させて立体スクリーン１内に送風するようにしてもよく、あるいは定期的に送風機３を作動させることにより立体スクリーン１を適正形状に維持するようにしてもよい。
【００４５】
映像表示装置をイベント会場等から撤去する際には、ユーザーが、立体スクリーン１の側面部に設けられた線ファスナーからなる止着部材１３のスライダーを操作して、スリット１２を開放することにより、立体スクリーン１の気体を外部に放出する。また、ユーザーが、線ファスナーからなる接合部材６のスライダーを操作して、立体スクリーン１と接続板４とを分離した状態で、立体スクリーン１をコンパクトに折り畳むようにすれば、搬送及び保管等を容易に行うことができる。
【００４６】
また、立体スクリーン１が傷んだ場合にこれを新たなものと交換する際、又は立体スクリーン１を径や形状が異なるものと交換する際には、立体スクリーン１の取付孔１１から接続板４を取り外すことにより、この接続板４と投射機２の映像投射部２１及び送風機３の送風部との接続を維持したままの状態で、立体スクリーン１の交換作業を容易に行うことができる。
【００４７】
上述のように可撓性を有する素材からなり、内周面にスクリーン面が設けられた透過型ディスプレイを構成する立体スクリーン１と、その内周面に向けて映像を投射する投射機２と、立体スクリーン１内に送風する送風機３と、投射機２の映像投射部２１及び送風機３の送風部３０が接続されるとともに、立体スクリーン１に取り付けられる接続板４と、この接続板４を支持する支持脚体７とを備え、この支持脚体７による接続板４の支持姿勢を変更可能に構成してなる映像表示装置によれば、送風機３を作動させて接続板４の送風孔４４から立体スクリーン１内に空気を送風し、立体スクリーン１の内部圧力を高めることにより、立体スクリーン１を適正形状に安定して維持することができる。
【００４８】
また、立体スクリーン１に取り付けられた接続板４を支持脚体７により支持するとともに、この支持脚体７による接続板４の支持姿勢を変更可能に構成したため、立体スクリーン１を正確に位置決めした状態で安定して支持することができる。したがって、立体スクリーン１の支持位置が、その前後又は左右に変化することに起因して、投射機２の映像投射部２１から照射される画像の焦点が立体スクリーン１のスクリーン面からずれた状態となるのを効果的に防止することができる。しかも、立体スクリーン１の直径等が変化して接続板４の設置角度を変化させる必要が生じた場合には、支持脚体７による接続板４の支持姿勢を変更することにより、立体スクリーン１及び接続板４を安定して支持することができる。
【００４９】
上述の実施形態では、支持脚体７が、接続板４に固定された第一脚体７１と、第一脚体７１の上部に設けられた連結ピン７０を支点として回動可能に連結された第二脚体７２と、第一脚体７１及び第二脚体７２の側面部同士を連結する連結バー７３とを有し、連結バー７３の両端部が、第一脚体７１及び第二脚体７２の側面部に沿ってスライド可能に係合されるとともに、係止部材７５によって第一脚体７１及び第二脚体７２の側面部に係脱可能に係止された構成としたため、ユーザーが、係止部材７５による連結バー７３の係止状態を解除した後、連結バー７３の端部を溝部７４に沿ってスライド変位させることにより、第一脚体７１と第二脚体７２との間隔を調節することができる。これにより、立体スクリーン１の直径が変化して接続板４の設置角度を変化させる必要が生じた場合に、第一脚体７１及び第二脚体７２の下端部が展示ステージ５２から離間した状態となるのを防止して、支持脚体７による接続板４の支持状態を安定させることができる。
【００５０】
また、上述の実施形態ように、立体スクリーン１には、接続板４の取付孔１１が形成され、この取付孔１１の周縁部と接続板４の外周部とが離脱可能に接合された構成とした場合には、立体スクリーン１の取付孔１１から接続板４を取り外すことにより、この接続板４と投射機２の映像投射部２１及び送風機３の送風部との接続を維持したままの状態で、傷んだ立体スクリーン１を新たなものと交換したり、立体スクリーン１を形状や大きさが異なるものと交換したりする作業等を容易に行うことができる。
【００５１】
また、上述の実施形態では、立体スクリーン１に設けられた取付孔１１の周縁部と接続板４の外周部とを、線ファスナーからなる接合部材６により離脱可能に接合するように構成したため、ユーザーが、線ファスナーからなる接合部材６のスライダーを操作することにより、取付孔１１の周縁部と接続板４の外周部とを接合する作業、及び両者の接合を離脱させる作業を容易に行うことができる。しかも、線ファスナーからなる接合部材６により取付孔１１の周縁部と接続板４の外周部とを接合した状態では、この接合部から立体スクリーン１の気体が外部に漏出するのを効果的に抑制することができるため、立体スクリーンを適正形状に安定して維持できるという利点がある。
【００５２】
なお、線ファスナーからなる接合部材６を設けてなる上述の実施形態に代え、面ファスナー又はスナップボタン等からなる接合部材により、立体スクリーン１の取付孔１１の周縁部と接続板４の外周部とを離脱可能に接合することも可能である。しかし、面ファスナー又はスナップボタン等からなる接合部材を用いた場合には、取付孔１１の周縁部と接続板４の外周部とを接合させ、あるいは両者の接合を離脱させる際の作業性と、立体スクリーン１内の気体が外部に漏出を抑制する効果とを両立させることが困難である。したがって、上述のように立体スクリーン１に設けられた取付孔１１の周縁部と接続板４の外周部とを、線ファスナーからなる接合部材６により離脱可能に接合した構成を採用することが好ましい。
【００５３】
上述の実施形態では、映像表示装置が、立体スクリーン１、投射機２及び送風機３が載置される載置台５を備えるとともに、この載置台５の下部に、キャスタ５０が設けられた構成としたため、立体スクリーン１、投射機２及び送風機３をそれぞれ載置台５上に載置して位置決めした状態で、映像表示装置をイベント会場に搬送したり、映像表示装置の設置位置を変更したりする作業等を容易に行うことができる。
【００５４】
また、上述のように、載置台５のベース板５１に立設された展示ステージ５２上に、立体スクリーン１と接続板４及び支持脚体７とが位置決めされた状態で載置された構成によれば、載置台５のベース板５１よりも一段高い位置に立体スクリーン１等が載置されるため、この立体スクリーン１に投射された映像を、より目立たせることができる。
【００５５】
なお、上述の実施形態では、展示ステージ５２の後方側に送風機３を載置しているが、この構成に代えて、図１０に示すように、載置台５のベース板５１と展示ステージ５２の上面板５３との間に形成された空間部５４内に送風機３を収容した構成としてもよい。この構成によれば、載置台５に形成された空間部５４を有効に利用して、省スペース化を図ることができるとともに、送風機３の作動時に発生する騒音が空間部５４外に漏れ出ることが抑制されるため、優れた防音効果が得られるという利点がある。
【００５６】
また、上述の実施形態に示すように、映像表示装置が、投射機２を保持する投射機保持台８を備え、この投射機保持台８には、投射機２が載置される載置板８３と、搬送用のキャスタ８０を有する走行台車８２と、載置板８３を昇降変位させる昇降機構８４とが設けられた構成とした場合には、ユーザーが昇降機構８４を操作して載置板８３の設置高さを調節することにより、映像投射部２１と映像投射孔４３との上下位置を調節することができる。また、ユーザーが走行台車８２を移動させることにより、立体スクリーン１と投射機２との設置間隔等を調節する作業を容易かつ適正に行うことができる。
【符号の説明】
【００５７】
１  立体スクリーン                  ２  投射機
３  送風機                          ４  接続板                           
５  載置台                          ６  接合部材                      
７  支持脚体                        ８  投射機保持台                        
１１  取付孔                        １２  スリット                    
１３  止着部材                      １７  被覆材                      
１８  被覆材                        ２０  投射器本体                        
２１  映像投射部                    ３０  送風部                      
３１  送風ボックス                  ３２  送風機本体                        
３３  送風ダクト                    ４０  被覆材                      
４１  第一プレート                  ４２  第二プレート                
４３  映像投射孔                    ４４  送風孔                      
４５  アングル材                    ５０  キャスタ                    
５１  ベース板                      ５２  展示ステージ                
５３  上面板                        ５４  空間部                      
６１，６２  ファスナーテープ        ７０  連結ピン                    
７１  第一脚体                      ７２  第二脚体                    
７３  連結バー                      ７４  スライド溝                        
７５  係止部材                      ８０  キャスタ                    
８１  操作ハンドル                  ８２  走行台車                    
８３  載置板                        ８４  昇降機構                    
【図１】
2020204697.tif 000003
【図２】
2020204697.tif 000004
【図３】
2020204697.tif 000005
【図４】
2020204697.tif 000006
【図５】
2020204697.tif 000007
【図６】
2020204697.tif 000008
【図７】
2020204697.tif 000009
【図８】
2020204697.tif 000010
【図９】
2020204697.tif 000011
【図１０】
2020204697.tif 000012